(57)【特許請求の範囲】
【請求項１】
マイナスイオン発生器９が内蔵される本体部１と、本体部１に設けられる多数のブリッスル２と、マイナスイオン発生器９に高電圧を印加するトランス４１と、本体部１に対し回動軸３を介して回動自在に連結されるグリップ部４とを備えるブリッスルを具備するイオン供給装置であって、
本体部１に内蔵されるマイナスイオン発生器９に隣接してトランス４１が配設されており、
マイナスイオン発生器９とトランス４１とは高圧リード線７２で接続されており、
本体部１側にグリップ部４を重ね合わせた閉じ姿勢のときには、マイナスイオン発生器９の駆動スイッチ５が駆動不能になっており、
駆動スイッチ５はグリップ部４の開き姿勢に連動して駆動することを特徴とするブリッスルを具備するイオン供給装置。
【発明の詳細な説明】
【技術分野】
【０００１】
この発明は、マイナスイオンを供給することができるコンパクト型のイオン供給装置に関する。
【背景技術】
【０００２】
この種のイオン供給装置は、特開昭６０−１６０９０４号公報に公知である。そこには、イオン発生装置を中空状のホルダに内蔵した整髪装置が開示されている。この整髪装置によれば、プラスに帯電した髪をマイナスイオンで中和しながら整髪することができるとなっている。また、一般的にマイナスイオンは、自律神経の安定や疲労の回復など、心身をリラックスさせる働きがあるとされており、この整髪装置を利用して整髪を行えば、リラックス効果も期待できる。
【０００３】
【特許文献１】特開昭６０−１６０９０４号公報
【発明の開示】
【発明が解決しようとする課題】
【０００４】
上記整髪装置は、折り畳みが不可能であり、携行の際コンパクト性に欠ける。
【０００５】
この発明の目的は、コンパクトに折り畳むことができ、かつ、使い勝手を向上することができるブリッスルを具備するイオン供給装置を提供することにある。
【課題を解決するための手段】
【０００６】
この発明のイオン供給装置は、マイナスイオン発生器９が内蔵される本体部１と、この本体部１に対し回動軸３を介して回動自在に連結されるグリップ部４とを備えるイオン供給装置であって、上記本体部１側に上記グリップ部４を重ね合わせた閉じ姿勢のときには、マイナスイオン発生器９の駆動スイッチ５を駆動不能に成し、上記グリップ部４を回動した開き姿勢のときには、同スイッチ５を駆動可能に成した。
【０００７】
具体的には、上記駆動スイッチ５は、グリップ部４の開き姿勢への動作に連動して駆動するようにした。
【発明の効果】
【０００８】
この発明では、マイナスイオン発生器９が内蔵される本体部１と、この本体部１に対し回動軸３を介して回動自在に連結されるグリップ部４とを備えるイオン供給装置であって、上記本体部１側に上記グリップ部４を重ね合わせた閉じ姿勢のときには、マイナスイオン発生器９の駆動スイッチ５を駆動不能に成し、上記グリップ部４を回動した開き姿勢のときには、同スイッチ５を駆動可能に成したことにより、閉じ姿勢の携行時に、装置をコンパクトに折り畳むことができるとともに、誤ってスイッチが投入され無駄に電力が消費されるのを防止することができる。電池を電力とした装置の場合、誤ってスイッチが投入されると無駄に電池を消耗し、いざ使用時に使用不可となる虞れがあったが、それも本発明は確実に防止することができる。
【０００９】
具体的に、上記駆動スイッチ５は、グリップ部４の開き姿勢への動作に連動して駆動するようにしたことにより、閉じ姿勢のときに確実にスイッチ投入を規制できるとともに、開き姿勢への動作のみで駆動スイッチ５が投入されるので使い勝手が向上する。
【発明を実施するための最良の形態】
【００１０】
図１ないし図１５はこの発明に係るイオン供給装置の第１実施例を示す。図１および図１３において、イオン供給装置は、プラスチックで中空状に形成された本体部１と、この本体部１に対し回動軸３を介して回動自在に連結される同じくプラスチックで中空状に形成されたグリップ部４とを備えている。
【００１１】
本体部１には、マイナスイオンを発生させることが可能な後述するマイナスイオン発生器９と、マイナスイオン発生器９に高電圧を印加するためのトランス４１と、発生したマイナスイオンを強制的にイオン放出口１８から放出させるためのファン３５とモーター３４とを内蔵している。 
【００１２】
本体部１の下面１１はフラット面となっており、多数のブリッスル２が植設されている。つまり、本体部１の下面１１はブリッスル２の植設面となっている。下面１１はその他本体部１とは別体で形成されその他本体部１の開口面に溶着されている。ブリッスル２を下面１１に直接植設せずに、プラスチック製の枠体にゴムベースを取り付け、そのゴムベースにブリッスル２を植設したブラシユニットを、下面１１に着脱自在に取り付けるような構成であってもよい。この場合、ブラシユニットのみを本体部１から取り外して水洗いできるので都合がよい。
【００１３】
図６に示すように、本体部１の下面１１の略中央には、マイナスイオン発生器９によって発生したマイナスイオンを放出させるためのイオン放出口１８が形成されている。また、イオン放出口１８を囲繞するように下面１１の略全体にブリッスル２が植設されている。ブリッスル２は、本実施例ではプラスチック製であるが、木製や獣毛などであってもよい。
【００１４】
中空状のグリップ部４の内部には、イオン発生用の回路基板７や本装置の電源となる電源電池６が収納されている。電源電池６は本実施例では乾電池を採用している。電源電池６の交換は下面１１に設けられる蓋体２１を取り外すことで行うことができる。電源電池６の収納部の開口を塞ぐ蓋体２１が、閉じ姿勢における本体部１とグリップ部４の対向面に配設されるので、閉じ姿勢の携行時、強い衝撃が加わったとしても電源電池６が飛び出ることはない。電源電池６は乾電池に代え充電池であってもよく、その場合、この蓋体２１は充電池の回収のとき、充電池開放用として用いる。電源電池６として充電池を採用した場合、コンセントに差込まれる充電用のプラグ栓刃が設けられる。この場合、プラグ栓刃は、グリップ部４の前壁１６の回動軸３寄りに回転突出・収納自在に設けられる。従って、開き姿勢ではプラグ栓刃は本体部１が邪魔をして回転することができなく、閉じ姿勢にして初めてプラグ栓刃が回転突出可能となる。つまり後述するように、閉じ姿勢で必ず駆動スイッチ５がＯＦＦされる構造なので、駆動スイッチ５のＯＮ状態で充電するのを確実に防止できる。また、蓋体２１の表面は反射シート貼着による鏡面仕上げとなっており、顔を映し出せるようになっている。従って、マイナスイオンを供給しながら、顔の汚れなどのチェックを行うことができる。別途鏡を持ち歩く必要もない。これについても、閉じ姿勢における本体部１とグリップ部４の対向面に、鏡が位置することになるので、閉じ姿勢の携行時、鏡の傷付き、破損を防止できる。鏡面仕上げとは、ガラス鏡を貼着したもの、アルミを蒸着したものなど顔を映し出せるものであればそれらを含むものとする。
【００１５】
本体部１とグリップ部４とを回動自在に連結する回動軸３には、グリップ部４を本体部１側に重ね合わせた閉じ姿勢（図８参照）になる直前、またグリップ部４を本体１に対して１８０°回動させたのときの開き姿勢（図１参照）になる直前のそれぞれに、突起と突起を乗り越えることでクリック感を出すよう構成された節度手段（図示せず）を設けている。従って、閉じ姿勢と開き姿勢何れの場合もグリップ部がブラブラせずその状態を維持することができる。また、回動軸３内には後述する駆動スイッチ５が設けられている。なお、回動軸３は、鉄製の軸棒５１に対し、本体部１の突出部分に形成された貫通孔とグリップ部４の突出部分に形成された貫通孔を挿通して、本体部１とグリップ部４とを相対的に回動自在とした一般的なヒンジ構造である。
【００１６】
駆動スイッチ５における接点の開閉（ON/OFF）は、グリップ部４の回動動作に連動して行われる。つまり、グリップ部４の閉じ姿勢のときは、回動軸３内に配設される金属製の接点が開放されており、装置内の各電装品は駆動していない。閉じ姿勢のグリップ部４を１８０°回動させた開き姿勢にすれば、この開き姿勢になる直前で接点が閉じられて、装置内の各電装品が駆動する。本実施例における駆動スイッチ５は、開き姿勢のときにグリップ部４側の回動軸１１に固定されたマイクロスイッチ２２のプッシュボタンを、本体部１側の回動軸３に形成された突起２３をもって押圧し接点を閉じる構造のものとしている。逆に、グリップ部４を閉じ姿勢にすれば、突起２３はマイクロスイッチ２２への押圧を解除し接点を開放する。このように、グリップ部４の回動動作に連動してマイクロスイッチ２２のON/OFF、つまり装置の各電装品のON/OFFを行うことができる。駆動スイッチ５は、閉じ姿勢で開（OFF）、開き姿勢で閉（ON）できる構造ならば、特にこれに限定されない。例えば、電装品の回路ループを一部開放してその開放端をグリップ部４側の回動軸３に固定し、その開放端どうしを電気的・機械的に連結するための金属片を本体部１側の回動軸３に配設し、グリップ部４の回動に伴って閉ループ・開ループを形成するように構成したもの、或いは一方側にリードスイッチ、他方側に磁石を配したスイッチ構造など、その構成は種々考えられる。
【００１７】
図１５においてマイナスイオン発生器９を含むイオン生成手段は、直流電源（電池６）からの電圧・電流をパルス化する高周波パルス発生回路３８と、パルス化された電圧・電流を１００Ｖまで昇圧する前段トランス３９と、昇圧後の電圧・電流を低周波パルス電流に変換する低周波パルス発生回路４０と、このパルス電圧・電流を４ＫＶの高電圧に昇圧する後段トランス４１と、マイナスイオン発生器９などで構成してある。高周波パルス発生回路３８、前段トランス３９、低周波パルス発生回路４０は、それぞれ回路基板７に実装されて、グリップ部４に内蔵されている。
【００１８】
マイナスイオン発生器９は、後段トランス４１と共に本体部１の内面に固定される。ここでのマイナスイオン発生器９とは、マイナスイオンを発生する部材のことをいい、本実施例のような放電式の場合は放電電極のことを意味し、貯水タンクの水を機械的に微小化してマイナスイオンを発生させるレナード式の場合は、遠心力によって水を微小化する回転体を意味する。本実施例において放電電極を含む放電部は、電極ホルダー４３と、電極ホルダー４３の一側中央部に固定される中央電極（放電電極）４４、および中央電極４４の周りを囲む対向電極４５と、中央電極４４と対向電極４５との間の空間を絶縁遮断する誘電筒４６とで構成される。中央電極４４は、放電抵抗が小さなタングステンで針状に形成してある。対向電極４５は、銅または鉄製の薄板を素材にして形成したリング状のプレス金具からなる。電極ホルダー４３は、耐オゾン性と耐熱性を有し、しかも絶縁性に優れたプラスチック、例えばポリフェニレンサルファイドを素材とする車輪状のプラスチック成形品からなり、その中央のボス部４７に先の中央電極４４が固定され、ボス部４７の外面に対向電極４５が固定してある。図中７２はトランス４１と中央電極４４とを繋ぐ高圧リード線である。この高圧リード線７２は耐圧仕様が６〜１０ＫＶであり被覆が厚く、その他リード線に比べ径が太くなっている。トランス４１は、本体部１内ではなくグリップ部４内に設けることもできるが、後述するような課題があるため本体部１内のマイナスイオン発生器９に隣接して設ける方が好ましい。
【００１９】
誘電筒４６は雲母、ガラス、セラミックスなどの高度の絶縁特性を備えた素材で円筒状に形成してあり、ボス部４７の前端の凹部に内嵌固定される。中央電極４４と対向電極４５との間で不整放電が生じるのを防いで、効果的にマイナスイオンを生成するために、誘電筒４６は中央電極４４の突端より前方へ大きく突出してある。この誘電筒４６の突端開口がマイナスイオン出口となる。
【００２０】
電極ホルダー４３の周囲に形成されたフランジを、本体部１内に形成したボスに当接し、ねじ止めすることでマイナスイオン発生器９を本体ケース１内に固定している。この取り付け状態において、中央電極４４と対向電極４５と誘電筒４６との三者は、イオン放出口１８と正対している（図１、図６参照）。なお、イオン発生器９とイオン放出口１８が正対していなかったり、イオン放出口１８が極端に小さくても、グリップ部４で覆わなければ、ほこりや棒状の異物が入り易いことには変わりないので、そういった構造のものでも本発明の範疇とする。
【００２１】
上記のように構成したマイナスイオン発生器９によれば、後段トランス４１で昇圧した高電圧のうち、ダイオードを通過したマイナス電圧のみを中央電極４４に印加することにより、同中央電極４４から対向電極（アース電極）４５に向けて電子を放出し、空気中の酸素をマイナスイオン化できる。マイナスに帯電した酸素に微小な水分が結合したマイナスイオンは、毛髪の内部深くまで水分を浸透でき、その水分率を高めて毛髪の状態を好適化できる。マイナスイオンは、心身のリフレッシュにも効果があり、本イオン供給装置を体全体のイオン供給用に用いることもできる。
【００２２】
本体部１の下面１１に形成されるイオン放出口１８は、グリップ部４を閉じ姿勢とすることでグリップ部４によって覆い隠される。これによって、直接外部からマイナスイオン発生器９を臨むことをできにくくしているので、異物の侵入を可及的に防止することができる。従って、具体的にピンなど細長い棒の侵入による中央電極（放電電極）４４の変形、中央電極（放電電極）４４と対向電極４５間の塵埃の堆積による火花放電の発生などマイナスイオン発生にかかる悪影響をできるだけ防止することができる。特に、本実施例においては、多数のブリッスル２がイオン放出口１８の周囲に植設されているので、さらにイオン放出口１８が臨み難くなっており、これによって異物の侵入をよく阻止できる。
【００２３】
図中２４は、グリップ部４の後端に形成された突出部であり、その平面部２６に係合凹み２５が形成されている。グリップ部４を閉じ姿勢としたときに、本体部１の前端側に植設されたブリッスル２が係合凹み２５に嵌合されることで、グリップ部４の開きが防止される。この開き防止手段によって、閉じ姿勢のグリップ部４が、衝撃によって開き姿勢となるようなことはなくなり、さらに本体部１、グリップ部４の何れかに衝撃が加わった場合に、その衝撃を開き防止手段で分散することができるので、回動軸３の破損を可及的に防止することができる。係合凹み２５は、ブリッスル２の全てを嵌合できるようにグリップ部４の下面全体に構成されたものであってもよい。また係合凹み２５は、グリップ部４の下面
全体に多数のリブを突設し、これらリブ間の摺動抵抗を利用してブリッスル２の先端部を固定する構造も含むものとする。さらに係合凹み２５は、メッシュを複数枚重ねたようなものであってもよい。
【００２４】
ブリッスル２は、図６に示すように本体１の下面１１の平面視内側に立設しているので、グリップ部４の閉じ姿勢のときにグリップ部４の下面１３によって覆われる（図１１参照）。従って、全てのブリッスルの少なくとも頭皮と接触する先端部を保護することができる。トランス４１は本体部１に内蔵される電装品の中でも一番の重量物であるので、回動軸３に寄せて設けている。従って、開き姿勢の使用時に回転モーメントが本体部１にかかり難いので、不用意に本体部１が回動軸３を中心に回動することがなく、安心して本装置を使用できる。また、マイナスイオン発生器９とトランス４１が隣接しているので、他のリード線に比べ太く曲げにくい高圧リード線７２の配線を良好に行うことができる。
【００２５】
図１、図２に示すように、本体部１は、その前面１４、上面１０、後面１５のそれぞれを同じ曲率で湾曲させて形成し、それらを連続させることで上向き凸となる円弧面２７を形成している。本体部１の右側面２９、左側面３０は中心部に向かうほど膨出した形態となっている（図１０参照）。また、グリップ部４においても、その前面１６、上面１２、後面１７のそれぞれを同じ曲率で湾曲させて形成し、それらを連続させることで上向き凸となる円弧面２８を形成している。グリップ部４の右側面３１、左側面３２も中心部に向かうほど膨出した形態となっている（図１０参照）。しかして、図１、図７に示すような開き姿勢の使用状態のときに、本体部１、回動軸３、グリップ部４の三者によって、大きな空間Ｓが形成され、使用時にこれに指を当てれば滑り止めとなって、本体を落下させる可能性が低くなる。空間Ｓが形成されれば、本体部１の前面１４、後面１５やグリップ部４の前面１６、後面１７は湾曲せずともよい。また、グリップ部４の円弧面２８は、同円弧面２８の頂部付近に手のはらの凹みを自然に合わせることができるので使用感がよいものとなる。これは、本体部１の円弧面２７にも当てはまるものである。グリップ部４を閉じ姿勢のとき、本体部１の円弧面２７の仮想延長線上にグリップ部４の円弧面２８が略一致するよう構成（つまり、円弧面２７と円弧面２８は同一曲率）している。従って、グリップ部４を開き姿勢から閉じ姿勢と姿勢を変更した際、本イオン供給装置は図８に示すようにグリップ部４と本体部１とによって全体が円形となるよう構成されるので、少なくとも円弧面２７，２８部分で衝撃を受け止めた際、円弧面は強度的に優れるので、装置の破損を可及的に防止できる。またこの閉じ姿勢のとき、外観が略円筒形状となるので、デザイン性に優れる。なお、円弧面２７と円弧面２８の曲率が多少相違するものも本発明の範疇とする。或いは、閉じ姿勢のとき全体が楕円形状となるものも本発明の範疇とする。
【００２６】
このイオン供給装置を使用する際には、閉じ姿勢のグリップ部４を本体部１に対して180°回動させ開き姿勢とすることで駆動スイッチ５を駆動する。これによって、モーター３４とマイナスイオン発生器９を駆動することができる。このとき、同時にＬＥＤからなる表示灯３３が点灯するので使用者は装置のＯＮ状態を確認できる。表示灯３３はグリップ部４の下面１３に配設され、閉じ姿勢の本体部１とグリップ部４の対向面に位置されることになるので、閉じ姿勢の携行時の保護が確実となる。モーター３４の起動によってファン３５が回転駆動され、吸込口５０から吸い込んだ空気を加圧して送り出す。このとき、空気流はマイナスイオン発生器９とイオン放出口１８間に流れ、マイナスイオンとともにイオン放出口１８から吹き出る。本体部１或いはグリップ部４の一部に小さな貫通孔を形成し、ストラップを装着可能に形成することもできる。この場合、ストラップを伸縮性のある部材（ゴムなど）で輪状に形成し、貫通孔を基準に閉じ姿勢の本体部１とグリップ部４の周囲の円弧面２７、２８に引っ掛ければ、開き防止手段として利用できる。左側面図は図８の右側面図と対称に表れる。底面図は図１１の平面図と対称に表れる。
【００２７】
図１６から図１９は本発明にかかるイオン供給装置の第２実施例を示す。第２実施例における第１実施例と同じ符号は、第１実施例と同じ機能を有するものとする。
【００２８】
そこでは、本体部１に対してグリップ部４を閉じ姿勢としたときに、図１７に示すようにグリップ部４の下面１３が、イオン放出口１８の周囲面に対して当接しており、これによって、イオン放出口１８が外部からまったく臨むことができないように覆い隠されている。従って、イオン放出口１８から塵やほこりが侵入するのをさらに確実に防止できる。グリップ部４とイオン放出口１８の周囲面は当接でなくとも近接対向する構造であってもよい。また駆動スイッチ５は、グリップ部４内のスライド式接点を有するスイッチ部５６と同スイッチ部５６の開閉操作を行う操作ノブ５２とからなり、この操作ノブ５２が閉じ姿勢の本体部１とグリップ部４の対向面となるグリップ部４の下面１３に配設されるので、閉じ姿勢の携行時に誤って操作ノブ５２が投入され無駄な放電を行うのを確実に防止できるとともに、操作ノブ５２の破損を防止することができる。また、閉じ姿勢のとき、図１７に示すようにOFF状態の操作ノブ５２はイオン放出口１８を形成する内壁５４に突き当たっており、これによって操作ノブ５２のスライドが規制されているので、細長い棒状のものが閉じ姿勢の本体部１とグリップ部４間に侵入しても、操作ノブ５２が投入されることはなく、それによって確実に無駄な放電を防止できる。 つまり、イオン放出口１８が操作ノブ移動防止ストッパーとしての役割を兼任しており、構成が簡素化されている。もちろん、操作ノブ移動防止ストッパーとしてそれ専用に本体部１の下面１１に突起を設け、閉じ姿勢のときに操作ノブ５２の移動を阻止できるよう構成したものであってもよい。なお、駆動スイッチ５は、本体部１の下面１１に配設しても携行時の保護は可能で、その場合の操作ノブ移動防止ストッパーはグリップ部４の下面１３に設けられる。また、駆動スイッチ５はイオン放出口１８内に入り込むならばプッシュ式スイッチ構造であってもよい。これによっても実質的に押圧が規制されるので、操作ノブ移動防止ストッパーの概念に含まれる。
【００２９】
図１９に示すように、閉じ姿勢におけるブリッスル２の先端とグリップ部４の上面１２は、距離Ｘだけグリップ部４の上面１２が沈んだところに位置している。従って、閉じ姿勢においても毛髪をブラッシングすることができる。このとき、グリップ部４の両側面がブリッスル２の植設面である下面１３に対して９０°以下の角度αの傾斜面として成るので、ブラッシングをスムーズに行うことができる。また、上面１２においても円弧面となっているのでさらにスムーズな毛髪のブラッシングを行うことができる。なお、本体部１、グリップ部４ともに左右二分割ケースから成る。イオン放出口１８をグリップ部４の閉じ姿勢時に覆うことが可能な構造ならば、ブリッスル２はイオン放出口１８と同じ下面１１に植設する必要はなく、本体部１の上面１０側に植設されるものであってもよい。この場合も、イオン放出口１８を保護した状態の閉じ姿勢で毛髪をブラッシングすることができる。開き姿勢でマイナスイオンを供給しながら整髪する場合は、本体部１の上面１０と下面１１を交互に反転させて、マイナスイオンの髪への供給と髪のブラッシングを交互に行う。
【００３０】
図２０から図２３は本発明にかかるイオン供給装置の第３実施例を示す。第３実施例における第１実施例と同じ符号は、第１実施例と同じ機能を有するものとする。
【００３１】
本実施例においては、本体部１に対してグリップ部４を閉じ姿勢としたときに、図２０（ａ）、図２１に示すようにグリップ部４の左側面３２が、イオン放出口１８の周囲面に対して当接しており、これによって、イオン放出口１８が外部からまったく臨むことができないように覆い隠されている。従って、イオン放出口１８から塵やほこりが侵入するのをさらに確実に防止できる。本実施例のグリップ部４は第１実施例や第２実施例とは異なり、グリップ部４の中途が分割され、前グリップ４ａ、後グリップ４ｂが形成されている。後グリップ４ｂはグリップ部軸方向が回動軸となるよう前グリップ４ａに回動体５５によって軸着されている。図２０（ａ）、図２１に示すような閉じ姿勢においては、前グリップ４ａに対して後グリップ４ｂを９０°回動させているので、後グリップ４ｂの左側面３２によってイオン放出口１８の周囲面が接触状態で覆われる。このとき、前グリップ４ａの左側面３２に突設した突起５３が、イオン放出口１８を形成する内壁５４に嵌合され、グリップ部４の開き防止が回動軸３内に形成される節度手段とともに図られている。なお、開き防止手段があれば、閉じ姿勢時の節度手段は省略してもよい。従って、閉じ姿勢の動作のみの動作で開き防止を図ることができるので使い勝手が向上する。また、イオン放出口１８を開き防止手段の一部として利用するので、その分だけ構造が簡素化できる。また、イオン放出口１８を形成する内壁５４は円形であり、これに対し突起５３は内壁５４と略同一形状・同一寸法であって、つまり突起５３はイオン放出口１８を形成する内壁５４と一致する形状である。従って、閉じ姿勢のときにイオン放出口１８を形成する内壁５４に突起５３の外壁５７が内接するよう構成されるので、その内接による摺動抵抗増で開き防止を図りながら塵やほこりの侵入をさらに確実に防止できる。内壁５４と外壁５７とのそれぞれに小さな突起を設け、閉じ姿勢のときに互いの突起が乗り越えるようにした内接構造も含むものとする。突起５３はグリップ部４の滑り止めにもなって都合がよい。
【００３２】
本イオン供給装置を使用状態にする場合は、図２３（ａ）の状態から、手でグリップ部２を掴み図２３（ｂ）に示すように回動させる。そして図２３（ｃ）に示すようにグリップ部４を１８０°回動させてイオン放出口１８を完全に開放する。次に回動体５５を軸として時計回りに後グリップ４ｂを回動させ、図２３（ｄ）や図２０（ｃ）に示すように後グリップ４ｂが前グリップ４ａと一致した状態とする。後グリップ４ｂの回動動作で、前グリップ４ａ内に収納されるスイッチ部５６（マイクロスイッチのプッシュボタン）が後グリップ４ｂに設けられる突起体によって開閉操作（押圧）されマイナスイオン発生器９が駆動する。つまり本実施例の駆動スイッチ５は、後グリップ４ｂが操作ノブ５２を兼用している。従って、本実施例においても、グリップ部４の閉じ姿勢のとき突起５３と内壁５４によって後グリップ部４ｂの回動が規制されているので、つまり閉じ姿勢のとき駆動スイッチ５が駆動されないので、携行時の不用意な放電は起こり難い。また、第１実施例、第２実施例では、ともに本体部１に対してグリップ部４を１８０°回動した状態を開き姿勢としたものであるが、イオン放出口１８が開放されていれば９０°前後の角度に開いた状態で固定したものも開き姿勢の概念に含まれるものとする。また、１８０°を超えて固定されるものも開き姿勢の概念に含むものとする。
【００３３】
また、グリップ部４は、その断面形状が両側面３１，３２が短辺、上下面１２，１３が長辺の長方形（若干外向き或いは内向きに湾曲している形状も含む）をなしており、全体が中空直方体形状となっている。従って、閉じ姿勢のときは断面長方形の短辺部分でイオン放出口１８を覆うことができるので、電源電池６が２本の並列態様であってもブリッスル２の植設面を多くとることができる。また、開き姿勢にしたときに断面長方形の長辺部分を上下面とすることができるので、ブラッシング時の使い勝手が向上する。図２１に示すように、閉じ姿勢におけるブリッスル２の先端とグリップ部４の右側面３１は、距離Ｙだけグリップ部４の右側面３２が突出したところに位置している。従って閉じ姿勢において、イオン放出口１８を保護できるとともに、第１実施例のように覆うことでブリッスル２全体を保護していないものの、グリップ部２の突出分だけブリッスル２を保護できる。図中６２は、植設面である下面１１に凹み形成されて設けられた溝であって、本体部１の軸方向（前後方向）に、ブリッスル２の軸方向の植設領域を超えた寸法で設けられている（図２０（ｃ）参照）。従って、ブラッシング時、イオン供給口１８部分が髪によって覆われた状態でも、下面１１と溝６２の底面（イオン放出口１８はこの底面にある）との高さ分だけ間隙ができ、しかもその隙間からマイナスイオンが軸方向に流れていくことができるので、髪に万遍なくマイナスイオンを供給できる。またこの溝６２は閉じ姿勢の後グリップ４ｂを左右から支持しているので（図２１参照）、衝撃による回動軸３の破損も防止している。溝６２は、下面１１を凹み形成して設けることに代えて、下面１１に軸方向（前後方向）に連続して延びる１本或いは複数本のリブを突設することによって、実質的に毛髪とイオン放出口１８に間隙を構成するものであってもよい。この場合も軸方向に万遍なくマイナスイオンを供給することができる。なお、本体部１、グリップ部４ともに左右二分割ケースから成る。
【００３４】
図２４から図２７は本発明にかかるイオン供給装置の第４実施例を示す。第４実施例における第１実施例と同じ符号は、第１実施例と同じ機能を有するものとする。   
【００３５】
本実施例において基本構造は第１実施例と同じであるが、ただ一本一本のブリッスル２の根元が回動軸５８によって回動自在となっている点が異なる。これによってブリッスル２は前向きに傾倒可能となっている。ブリッスル２を傾倒すればブリッスル２の占有高さを低くすることができ、閉じ姿勢のときに本体をコンパクト化することが可能となる。また、ブリッスル２が傾倒することで、閉じ姿勢のとき本体部１とグリップ部４との間隙が狭まるので、イオン放出口１８にほこりやピンなどの異物が侵入しにくくなる。この傾倒動作は、本体部１に傾倒動作専用のスライドノブを設けて行うようにすることもできるが、本実施例においては、グリップ部４の開き動作に連動して傾倒するようになっている。具体的には、各ブリッスル２は左右方向に長い金属製の回動体５８に連結される。各ブリッスル２は回動体５８を介して下方に短いながら連続して延びており、さらに、その下端が連結体６６に形成される逃げ溝７７内を上下に移動自在に連結されている。 連結棒６０は、図２７においてコイルばね５９によって左向きに付勢されており、その一端７９が本体部１から突出している。この状態ではブリッスル２は傾倒しているが、図２６に示すようにグリップ部４を開き姿勢とすれば、連結棒６６の一端７９がグリップ部４の突起８０によって押圧され、傾倒していたブリッスル２のすべてが起立する。ブリッスル２は閉じ姿勢の傾倒時、図２５の点線に示すようにイオン放出口１８に被さるように傾倒しており、これによって、さらに異物の侵入を防止できる。
【００３６】
図２８は本発明にかかるイオン供給装置の第５実施例を示す。第５実施例における第１実施例と同じ符号は、第１実施例と同じ機能を有するものとする。
【００３７】
上記した各実施例においては左右方向に回動軸３を有するものであったが、本実施例においては上下方向に回動軸３を有する構成のものである。グリップ４の開き姿勢から水平回動によってグリップ部４を本体部１に重ね合せれば（点線参照）、イオン放出口１８やブリッスル２を覆うことができ、マイナスイオン発生器９やブリッスル２を保護することができる。また、本実施例の駆動スイッチ５は、第２実施例のそれと同じであり、配設位置も閉じ姿勢の本体部１とグリップ部４の対向面にあるので、携行時の操作ノブ５２の保護が可能となっている。また、本実施例の駆動状態を示す表示灯３３は、本体部１の下面に設けられるので操作ノブ５２と同じように携行時の保護が図られている。
【００３８】
図２９及び図３０は本発明にかかるイオン供給装置の第６実施例を示す。第６実施例における第１実施例と同じ符号は、第１実施例と同じ機能を有するものとする。
【００３９】
本実施例では、本体部１が前本体１ａと後本体１ｂの二分割構造となっており、両者は本体部軸方向を回転軸とする回動体７０によって連結されている。また、回動軸３やグリップ部４は後本体１ｂの後端に取り付けられている。しかして、本イオン供給装置を使用する場合は、閉じ姿勢のグリップ部４を開き姿勢とした状態（図２９（ａ）参照）とする。次に本体部１ｂを１８０°回転すれば回動軸３が本体部１の上面１０側に向きをかえることができ（図２９（ｂ）参照）、ついで、グリップ部４をもとに戻すように回動させれば、実質的に、１８０°を超えて回動させることができる（図２９（ｃ）参照）。本実施例においては、この動作によって、グリップ部４が０°から３６０°の範囲で３０°ずつ角度を変更（グリップ部４内の節度手段で３０°ずつ固定）させることができるようになっている。なお、３０°ずつの角度変更に限らず１０°ずつであってもよくこの固定は任意である。本実施例によれば、１８０°の開き姿勢で手持ち式のイオン供給装置として使用でき、また、少なくとも２７０°から３６０°の角度の範囲で開き姿勢を維持できるよう構成されているので、これによって、グリップ部４の上面１２を載置面とした据置き式のイオン供給装置として使用できる。
【００４０】
図３０は、グリップ部４を３００°の角度で固定させ、机や化粧台などの載置台に置いた状態を示している。従って使用者Ｍは、両手を開放したハンズフリーの状態でマイナスイオンを顔、口、手などの身体に浴びることができる。マイナスイオン（マイナスに帯電した酸素に水分が結合したもの）を浴びることによって、肌の角質内まで水分を浸透させることができ、肌に潤いを与えることができる。さらにマイナスイオンは、吸い込むことによって自律神経の安定や疲労の回復など、心身をリラックスさせる働きがあるとされており、この効果も期待できる。図中７５は、グリップ部４の側面に設けられる支持脚であり、回動軸７４を軸として左右方向（図３０においては手前方向）に回動できるようになっている。支持脚７５は左右に２つあり、両支持脚７５を左右に広げれば、安定した載置が可能となる。前本体１ａにはマイナスイオン発生器９やトランス４１が内蔵されている。重量物であるトランス４１は本体部１内の回動軸３寄りに内蔵されるので、載置状態のとき、重心が低くなり転倒を防止することができる。マイナスイオン発生器９とトランス４１が近い位置にある理由は、トランス４１から中央電極４４（放電電極）に高電圧（４ＫＶ）を印加するための高圧リード線７２（耐圧仕様が６〜１０ＫＶ）がその他のどのリード線よりも太いので、例えばグリップ部４内にあると回動動作による無理な力がかかりやすく、断線の可能性が高いからそれを防止するためである。またグリップ部４内にトランス４１を設けると、太い高圧リード線７２の距離が長くなって配線の引き回しが難しくなるとともに、収納スペースの問題もある。電源電池６はグリップ部４内に配置されている。駆動スイッチ５は第１実施例と同じようにグリップ部４の回動動作に連動して開閉させるようになっている。なお、第２実施例〜第６実施例すべて、モータ３４、ファン３５を省略した構造である。これによっても多少はマイナスイオンの放出量は減るが充分マイナスイオンを供給することができる。本実施例においても、第１実施例と同じように、閉じ姿勢の携行状態のときグリップ部４でイオン放出口１８やブリッスル２の全てを覆っている。
【００４１】
マイナスイオン発生器９は、マイカ、セラミック等からなる板状の絶縁体（誘電体）の表と裏とに放電電極と誘導電極を配置した沿面放電型の構造や、２個の針状電極を対向配置した電極構造などに変更でき、マイナスイオンの発生が可能であればその構造は何ら限定しない。或いはトルマリン（電気石）をコーティングした部材に、熱を加えたり、機械的な圧力を加えたりしてマイナスイオンを発生させるマイナスイオン発生器であってもよい。また、本実施例ではマイナスイオンのみを生成するよう回路を構成しているが、プラスイオンとマイナスイオンを同時に生成させるものの、マイナスイオンの方を優勢に発生させる特公平４−１６９２０号に示されるような回路構成とすることもできる。
【図面の簡単な説明】
【００４２】
【図１】本発明に係るイオン供給装置の開き姿勢の右側面図である。
【図２】本発明に係るイオン供給装置の開き姿勢の左側面図である。
【図３】本発明に係るイオン供給装置の開き姿勢の正面図である。
【図４】本発明に係るイオン供給装置の開き姿勢の背面図である。
【図５】本発明に係るイオン供給装置の開き姿勢の平面図である。
【図６】本発明に係るイオン供給装置の開き姿勢の底面図である。
【図７】本発明に係るイオン供給装置の開き姿勢の斜視図である。
【図８】本発明に係るイオン供給装置の閉じ姿勢の右側面図である。
【図９】本発明に係るイオン供給装置の閉じ姿勢の正面図である。
【図１０】本発明に係るイオン供給装置の閉じ姿勢の背面図である。
【図１１】本発明に係るイオン供給装置の閉じ姿勢の平面図である。
【図１２】本発明に係るイオン供給装置の閉じ姿勢の斜視図である。
【図１３】図１におけるＡ−Ａ’断面図である。
【図１４】図３におけるＢ−Ｂ’断面図である。
【図１５】マイナスイオン発生器とその他電装品を示す説明図である。
【図１６】本発明の第２実施例にかかるイオン供給装置の開き姿勢の断面図である。
【図１７】本発明の第２実施例にかかるイオン供給装置の閉じ姿勢の断面図である。
【図１８】図１６におけるＣ−Ｃ’断面図である。
【図１９】図１７におけるＤ−Ｄ’断面図である。
【図２０】本発明の第３実施例にかかるイオン供給装置の閉じ姿勢と開き姿勢を説明する断面図である。
【図２１】図２０（ａ）におけるＥ−Ｅ’断面図である。
【図２２】図２０（ｃ）におけるＦ−Ｆ’断面図である。
【図２３】本発明の第３実施例にかかるイオン供給装置の閉じ姿勢と開き姿勢を説明する斜視図である。
【図２４】本発明の第４実施例にかかるイオン供給装置の開き姿勢のイオン放出口を望む図である。
【図２５】本発明の第４実施例にかかるイオン供給装置の閉じ姿勢を説明する図である。
【図２６】図２４におけるＧ−Ｇ’断面図である。
【図２７】図２５におけるＨ−Ｈ’断面図である。
【図２８】本発明の第５実施例にかかるイオン供給装置の開き姿勢の断面図である。
【図２９】本発明の第６実施例にかかるイオン供給装置の閉じ姿勢と開き姿勢を説明する側面図である。
【図３０】本発明の第６実施例にかかるイオン供給装置の開き姿勢を説明する側面図である。
【符号の説明】
【００４３】
１  本体部
２  ブリッスル
３  回動軸
４  グリップ部
５  駆動スイッチ
９  マイナスイオン発生器
１０  上面
１２  上面
１８  イオン放出口
２７  円弧面
２８  円弧面
５２  操作ノブ
５３  突起
５４  内壁
５７  外壁
Ｓ  指当て用空間
【図１】
0003629269.tif 000002
【図２】
0003629269.tif 000003
【図３】
0003629269.tif 000004
【図４】
0003629269.tif 000005
【図５】
0003629269.tif 000006
【図６】
0003629269.tif 000007
【図７】
0003629269.tif 000008
【図８】
0003629269.tif 000009
【図９】
0003629269.tif 000010
【図１０】
0003629269.tif 000011
【図１１】
0003629269.tif 000012
【図１２】
0003629269.tif 000013
【図１３】
0003629269.tif 000014
【図１４】
0003629269.tif 000015
【図１５】
0003629269.tif 000016
【図１６】
0003629269.tif 000017
【図１７】
0003629269.tif 000018
【図１８】
0003629269.tif 000019
【図１９】
0003629269.tif 000020
【図２０】
0003629269.tif 000021
【図２１】
0003629269.tif 000022
【図２２】
0003629269.tif 000023
【図２３】
0003629269.tif 000024
【図２４】
0003629269.tif 000025
【図２５】
0003629269.tif 000026
【図２６】
0003629269.tif 000027
【図２７】
0003629269.tif 000028
【図２８】
0003629269.tif 000029
【図２９】
0003629269.tif 000030
【図３０】
0003629269.tif 000031